(57)【要約】      （修正有）【課題】耐用年数の異なるプラスターボードと金属サイディングとをそれぞれ別々に修理でき、取付け工事が簡単で、効率よく作業ができる鉄骨構造建物の壁面構造を提供する。【解決手段】鉄骨柱２の外側面に所定間隔で横方向に固定された胴縁４と、この胴縁の下部位置の上面にビス止めできる1個あるいは２個のプラスターボード支持凹部が形成された下部の取付け具５および、その上部位置の胴縁の下部にビス止めできるＺ字型あるいは２個のプラスターボード間に配置されるパッキン８と胴縁の下部にビス止めできるアングル材を用いた複数個の上部の取付け具を用いて取付けられた、複数個の胴縁間の部分を覆う１枚あるいは隙間２０を有する２枚重ねの複数個のプラスターボード７と、複数個の胴縁の外側面に接続状態で取付けられた、該複数個の胴縁を覆う複数個の金属板９を用いた金属サイディング１０とで鉄骨構造建物の壁面構造１を構成している。【選択図】図２
2015200136.tif 000002
【特許請求の範囲】
【請求項１】
複数個の鉄骨柱の外側面に所定間隔で開口部が下部に位置するように、横方向に固定されたＣ型鋼を用いた複数個の胴縁と、この複数個の胴縁の下部位置の上面にビス止めできる1個あるいは所定間隔離間した状態で２個のプラスターボード支持凹部が形成された複数個の下部の取付け具および、その上部位置の胴縁の下部にビス止めできるＺ字型あるいは２個のプラスターボード間に配置されるパッキンと胴縁の下部にビス止めできるアングル材を用いた複数個の上部の取付け具を用いて取付けられた、前記複数個の胴縁間の部分を覆う１枚あるいは隙間を有する２枚重ねの複数個のプラスターボードと、前記複数個の胴縁の外側面に接続状態で取付けられた、該複数個の胴縁を覆う複数個の金属板を用いた金属サイディングとからなることを特徴とする鉄骨構造建物の壁面構造。
【発明の詳細な説明】
【技術分野】
【０００１】
本発明は鉄骨構造の建物の外壁面構造に関する。
【背景技術】
【０００２】
従来の鉄骨構造の建物の外壁面は複数個の鉄骨柱の外側面に所定間隔で横方向に固定した複数個の胴縁にプラスターボードを貼り、その上から金属板をビス止めで胴縁に孔を開けて止めている。
【０００３】
このため、台風や地震で建物が大きく揺れ動くと、プラスターボードが割れて破損し、破損したプラスターボードは胴縁より落下する。破損したプラスターボードが落下すると、金属板は胴縁より離れた状態となり、少しの風や小さな地震でもガタガタと騒音が出たり、金属板が脱落しやすくなり、安全性が保てなくなるという欠点があった。
【０００４】
また、金属板とプラスターボードは密着状態で取付けられているため、太陽熱で金属板が５０度以上になると、その熱はプラスターボードを介して室内に導かれ、室内が高温になるという欠点があった。
【先行技術文献】
【特許文献】
【０００５】
【特許文献１】特開２００７−２１７９１８号公報
【特許文献２】特開２００２−０４７７４７号公報
【発明の概要】
【発明が解決しようとする課題】
【０００６】
本発明は以上のような従来の欠点に鑑み、プラスターボードの破損がしずらく、破損しても金属サイディングの取付けに何らの悪影響を与えることがないとともに、プラスターボードと金属サイディングとの間を断熱空間にでき、室内の温度上昇を阻止でき、かつ耐用年数の異なるプラスターボードと金属サイディングとをそれぞれ別々に修理でき、取付け工事が簡単で、効率よく作業ができる鉄骨構造建物の壁面構造を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は複数個の鉄骨柱の外側面に所定間隔で開口部が下部に位置するように、横方向に固定されたＣ型鋼を用いた複数個の胴縁と、この複数個の胴縁の下部位置の上面にビス止めできる1個あるいは所定間隔離間した状態で２個のプラスターボード支持凹部が形成された複数個の下部の取付け具および、その上部位置の胴縁の下部にビス止めできるＺ字型あるいは２個のプラスターボード間に配置されるパッキンと胴縁の下部にビス止めできるアングル材を用いた複数個の上部の取付け具を用いて取付けられた、前記複数個の胴縁間の部分を覆う１枚あるいは隙間を有する２枚重ねの複数個のプラスターボードと、前記複数個の胴縁の外側面に接続状態で取付けられた、該複数個の胴縁を覆う複数個の金属板を用いた金属サイディングとで鉄骨構造建物の壁面構造を構成している。
【発明の効果】
【０００９】
以上の説明から明らかなように、本発明にあっては次に列挙する効果が得られる。
（１）請求項１により、金属サイディングと別々にプラスターボードを取付けることができる。
したがって、耐久年数の短いプラスターボードを金属サイディングと関係なく修理することができる。
（２）前記（１）により、プラスターボードと金属サイディングとの間に隙間を形成することができる、あるいはプラスターボード間にも隙間を形成できるので、該隙間を断熱空間にでき、室内に熱気が伝わるのを効率よく阻止できる。
（３）前記（１）によって、プラスターボードをビス止めできる下部の取付け具とビス止めできるＺ字型あるいは２個のプラスターボード間に配置されるパッキンと胴縁の下部にビス止めできるアングル材を用いた上部の取付け具を用いて上下部の胴縁に取付けるので、その取付け作業が簡単で、容易に行なうことができる。
（４）前記（１）により、プラスターボードを下部の取付け具と上部の取付け具で取り付けることにより、スライド移動可能で、かつ、わずかな上方への移動も可能に取付けることができ、地震での揺れ動きでもプラスターボードの破損を防止できるように取付けることができる。
【図面の簡単な説明】
【００１０】
【図１】本発明を実施するための第１の形態の説明用正面図。
【図２】図１の２−２線に沿う断面図。
【図３】本発明を実施するための第１の形態の説明用背面図。
【図４】本発明を実施するための第１の形態の下部の取付け具の説明図。
【図５】本発明を実施するための第１の形態の上部の取付け具の説明図。
【図６】本発明を実施するための第１の形態の胴縁の取付け状態の正面図。
【図７】本発明を実施するための第１の形態の胴縁の取付け状態の側面図。
【図８】本発明を実施するための第１の形態のプラスターボードの取付け状態の正面図。
【図９】図８の９−９線に沿う断面図。
【図１０】本発明を実施するための第２の形態の説明用正面図。
【図１１】図１０の１１−１１線に沿う断面図。
【図１２】本発明を実施するための第２の形態の説明用背面図。
【図１３】図１１の１３−７１３線に沿う断面図。
【図１４】本発明を実施するための第3の形態の説明用正面図。
【図１５】図１４の１５−１５線に沿う断面図。
【図１６】本発明を実施するための第3の形態の説明用背面図。
【図１７】本発明を実施するための第３の形態の下部の取付け具の説明図。
【図１８】本発明を実施するための第３の形態の上部の取付け具の説明図。
【図１９】本発明を実施するための第３の形態のプラスターボードの下部位置の取付け状態の説明図。
【図２０】本発明を実施するための第３の形態のプラスターボードの上部位置の取付け状態の説明図。
【図２１】本発明を実施するための第４の形態の説明用正面図。
【図２２】図２１の２２−２２線に沿う断面図。
【図２３】本発明を実施するための第４の形態の下部の取付け具の説明図。
【図２４】本発明を実施するための第４の形態の上部の取付け具での取付け状態の説明図。
【図２５】本発明を実施するための第５の形態の説明用正面図。
【図２６】図２５の２６−２６線に沿う断面図。
【図２７】本発明を実施するための第５の形態の下部の取付け具の説明図。
【図２８】本発明を実施するための第6の形態の説明用正面図。
【図２９】図２８の２９−２９線に沿う断面図。
【図３０】図２８の３０−３０線に沿う断面図。
【図３１】本発明を実施するための第６の形態の下部の取付け具の説明図。
【発明を実施するための形態】
【００１１】
以下、図面に示す本発明を実施するための形態により、本発明を詳細に説明する。
【００１２】
図１ないし図９に示す本発明を実施するための第１の形態において、１は本発明の鉄骨構造建物の壁面構造で、この鉄骨構造建物の壁面構造１は所定間隔で配置された複数個の鉄骨柱２と、この複数個の鉄骨柱２の外側面に所定間隔で開口部３が下方に位置するように、横方向に固定したＣ型鋼を用いた複数個の胴縁４と、この複数個の胴縁４の下部位置の胴縁４の上面に複数個の下部の取付け具５および、その上部の胴縁４の下部に複数個の上部の取付け具６を用いて取付けられた、前記複数個の胴縁４、４間の部分を覆う複数個のプラスターボード７と、前記複数個の胴縁４の外側面にビス８を用いて接続状態で取付けられた、該複数個の胴縁４を覆う複数個の金属板９を用いた金属サイディング１０とで構成されている。
【００１３】
前記複数個の胴縁４の鉄骨柱２への取付けは、図６に示すように、アングル状の取付け金具１１の一方を鉄骨柱２に溶接固定し、他方を前記胴縁４の上面部材４ａにボルト１２、ナット１３で固定している。
【００１４】
前記複数個の下部の取付け具５は図４に示すように、Ｆ字型の本体５ａに前記プラスターボード７を挿入支持することができる挿入部５ｂと、前記胴縁４の上面部材４ａにビス１４でビス止めするビス挿入孔１５が形成された取付け部５ｃとなるように形成されている。
【００１５】
前記複数個の上部の取付け具６は図５に示すように、上部で前記プラスターボード７の上部を支持する支持部材６ａとなり、下部で前記胴縁４の下部の後部突出片４ｂにビス１６でビス止めするビス挿入孔１７が形成された取付け部６ｂとなるＺ字型に形成されている。
【００１６】
前記金属サイディング１０に使用されている金属板９は図２に示すように、板状の金属板本体９ａと、この金属板本体９ａの一端部に形成されたアングル状の取付け支持片９ｂと、前記金属板本体９ａの他端部に形成されたアングル状の取付け支持片９ｂ、このアングル状の取付け支持片９ｂの先端部より隣り合う金属板９のアングル状の取付け支持片９ｂが挿入される凹部９ｃが有するように曲げられるとともに、前記胴縁４の先端部にビス８止めできるビス挿入孔１９が形成された取付け片９ｄとで構成されている。
【００１７】
上記構成の鉄骨構造建物の壁面構造１は、所定間隔で配置された複数個の鉄骨柱２にアングル状の取付け金具１１で複数個の胴縁４を、横方向に並列状態となるように固定する。
【００１８】
しかる後、複数個の胴縁４の先端部に金属板９の取付け片９ｄを、ビス８を用いて固定するとともに、隣りの金属板９のアングル状の取付け支持片９ｂを凹部９ｃと取付け片９ｄ上に位置させて、取付け片９ｄをビス８で胴縁４に固定して金属サイディング１０を取付ける。
【００１９】
なお、端部に位置する金属板９のアングル状の取付け支持片９ｂはビス８によって胴縁４の先端部に取付ける。
【００２０】
また、アングル状の取付け支持片９ｂを凹部９ｃと取付け片９ｄ上に位置させたところで、ビス８を用いて胴縁４の先端部に固定してもよい。
【００２１】
複数個の胴縁４、４間にプラスターボード７を複数個の下部の取付け具５と複数個の上部の取付け具６で取付けるが、まず、プラスターボード７の上端部を上部位置の胴縁４内に挿入させ、下端部を下部の取付け具５の挿入部５ｂに挿入して、該下部の取付け具５を下部位置の上面に位置させ、ビス４を取付け部５ｃのビス挿入孔１５に挿入してビス止め固定する。
【００２２】
次に、上部の取付け具６の上部の支持部６ａでプラスターボード７の上部を支持するとともに、該プラスターボード７が胴縁４の前部の突出片４ｃと当接するように位置させ、取付け部６ｂのビス挿入孔１７にビス１６を挿入して胴縁４の後部の突出片４ｂにビス止め固定する。
【００２３】
このため、プラスターボード７は上部の取付け具６の上部の支持片６ａによって、上下方向の震動を吸収することができるとともに、下部の取付け具５の挿入部５ｂと、上部の取付け具６の上部の支持片６ａで支持されているので、プラスターボード７の左右方向にスライド移動ができる。
【００２４】
なお、プラスターボード７、７間には継目ジョイント（図示せず）を用いて、従来と同様に隙間なく接続されている。
【００２５】
上記構成の鉄骨構造建物の壁面構造１は、金属サイディング１０とプラスターボード７との間に隙間２０ができるので、金属サイディング１０が太陽の熱で５０度以上となっても、該隙間１０が断熱空間となり、室内に熱気が伝わるのを低減させることができる。
【００２６】
また、金属サイディング１０の取付けは、プラスターボード７との取付けとは別々に行なうことができるので、耐用年数が異なっても、従来のように両方の取り外し等の作業を行なわなくても、修理を行なうことができる。
【００２７】
[発明を実施するための異なる形態]
次に、図１０ないし図３１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２８】
図１０ないし図１３に示す本発明を実施するための第２の形態において、前記本発明を実施するための第１の形態と主に異なる点は、金属サイディング１０とプラスターボード７との間隔を任意に調整できるようにプラスターボード７を取付けるようにした点で、このようにした鉄骨構造建物の壁面構造１Ａにしても、前記本発明を実施するための第１の形態と同様な作用効果が得られるとともに、断熱空間を任意に設定することができる。
【００２９】
なお、プラスターボード７の取付けは、複数個の下部の取付け具５とプラスターボード７の上部を、上部胴縁４の前記突出片４ｃにアングル材を用いたビス２２で固定される位置決め片２１と、胴縁４の後部突出片４ｂにビス１６で固定されるＺ字型の取付け片２３を用いた、上部の取付け具６Ａを用いて行っている。
【００３０】
図１４ないし図２０に示す本発明を実施するための第３の形態において、前記本発明を実施するための第１の形態と主に異なる点は、所定間隔離間された２個のプラスターボード７、７を下部の取付け具５Ａおよび上部の取付け具６Ｂとで上下の胴縁４、４に取付けるようにした点で、このようにした鉄骨構造建物の壁面構造１Ｂにしても、前記本発明を実施するための第１の形態と同様な作用効果が得られる。
【００３１】
なお、前記下部の取付け具５Ａは図１７に示すように、胴縁４の上面部材４ａにビス１４でビス止めするビス挿入孔１５が形成された取付け部５ｃと、この取付け部５ｃの反ビス挿入孔１５側の上面に形成された所定間隔離間した状態で２個のプラスターボード７、７の下部を支持することができるプラスターボード支持凹部２４，２４を形成する垂直支持片２５、２５、この垂直支持片２５、２５間に設けられた、所定間隔離間した状態で２個のプラスターボード７、７を位置させる上部がビス挿入孔１５側に傾斜する傾斜支持片２６と、前記ビス挿入孔１５側の垂直支持片２５と内側のプラスターボード７の間に挿入される隙間防止弾性体２７とで構成されおり、前記上部の取付け具６Ｂは図１８に示すように、上部位置の２個のプラスターボード７、７間に介挿されたパッキン２８と、上部の胴縁4の後部突出片４ｂにビス１６で固定されるのアングル材２９とで構成されている。
【００３２】
なお、前記下部の取付け具５Ａで使用する隙間防止弾性体２７は７字状のアルミ型材を用いてもよい。
【００３３】
図２１ないし図２４に示す本発明を実施するための第４の形態において、前記本発明を実施するための第３の形態と主に異なる点は、所定間隔離間された２個のプラスターボード７、７の上下部に隙間防止弾性体２７、２７を介挿するとともに、下部の胴縁4に粗いピッチで、複数個のビス１６で固定される先端部が上方に突出する係支片３０が形成された下部の取付け具本体３1と、前記外側のプラスターボード７、隙間防止弾性体２７、内側のプラスターボード７を前記下部の取付け具本体３１の係支片３０方向に押圧状態で前記下部の取付け具本体３１および前記下部の胴縁4に細かいピッチで、複数個のビス１4で固定するアングル状の止め金具３２とからなる下部の取付け具５Ｂと、を用い、内側のプラスターボード７を外側方向に不勢するスプリング３３を用いた上部の取付け具６Ｃを用いた点で、このようにした鉄骨構造建物の壁面構造１Ｃにしても、前記本発明を実施するための第３の形態と同様な作用効果が得られる。
【００３４】
図２５ないし図２7に示す本発明を実施するための第５の形態において、前記本発明を実施するための第４の形態と主に異なる点は、下部の取付け具本体３1を固定する複数個のビス１６をカバーすることができるカバー部３２ａが形成された止め金具３２Ａを用いた下部の取付け具５Ｃと、上部の取付け具６Ｂを用いた点で、このように下部の取付け具５Ｃと、上部の取付け具６Ｂを用いた鉄骨構造建物の壁面構造１Ｄしても、前記本発明を実施するための第４の形態と同様な作用効果が得られる。
【００３５】
図２８ないし図３１に示す本発明を実施するための第６の形態において、前記本発明を実施するための第４の形態と主に異なる点は、外側のプラスターボード７と内側のプラスターボード７のそれぞれの接続部分に該部を覆う長方形状のボード３４を配置するとともに、外側のプラスターボード７と内側のプラスターボード７の上下部に隙間防止弾性体２７、２７を配置して下部の取付け具５Ｃと、内側のプラスターボード７の上部を外側方向に押圧する複数個のボルト３５を用いた上部の取付け具６Ｄを用いた点で、このように構成した鉄骨構造建物の壁面構造１Ｅしても、前記本発明を実施するための第４の形態と同様な作用効果が得られる。
【産業上の利用可能性】
【００３６】
本発明は鉄骨構造建物の壁面を作る産業で利用される。
【符号の説明】
【００３７】
１、１Ａ、１Ｂ、１Ｃ、１Ｄ、１Ｅ：鉄骨構造建物の壁面構造、
２：鉄骨柱、        ３：開口部、
４：胴縁、          ５、５Ａ、５Ｂ、５Ｃ：下部の取付け具、
６、６Ａ、６Ｂ、６Ｃ、６Ｄ：上部の取付け具  、
７：プラスターボード、
８：ビス、        ９：金属板、
１０：金属サイディング、    １１：取付け金具、
１２：ボルト  、      １３：ナット、
１４：ビス、        １５：ビス挿入孔、
１６：ビス、        １７：ビス挿入孔、
１９：ビス挿入孔、            ２０：隙間、
２１：位置決め片、            ２２：ビス、
２３：Ｚ字型の取付け片、      ２４：プラスターボード支持凹部、
２５：垂直支持片、            ２６：傾斜支持片、
２７：隙間防止弾性体、        ２８：パッキン、
２９：アングル材、            ３０：係支片、
３１：下部の取付け具本体、    ３２、３２Ａ：止め金具、
３３：スプリング、            ３４：ボード、
３５：ボルト。
【図１】
2015200136.tif 000003
【図２】
2015200136.tif 000004
【図３】
2015200136.tif 000005
【図４】
2015200136.tif 000006
【図５】
2015200136.tif 000007
【図６】
2015200136.tif 000008
【図７】
2015200136.tif 000009
【図８】
2015200136.tif 000010
【図９】
2015200136.tif 000011
【図１０】
2015200136.tif 000012
【図１１】
2015200136.tif 000013
【図１２】
2015200136.tif 000014
【図１３】
2015200136.tif 000015
【図１４】
2015200136.tif 000016
【図１５】
2015200136.tif 000017
【図１６】
2015200136.tif 000018
【図１７】
2015200136.tif 000019
【図１８】
2015200136.tif 000020
【図１９】
2015200136.tif 000021
【図２０】
2015200136.tif 000022
【図２１】
2015200136.tif 000023
【図２２】
2015200136.tif 000024
【図２３】
2015200136.tif 000025
【図２４】
2015200136.tif 000026
【図２５】
2015200136.tif 000027
【図２６】
2015200136.tif 000028
【図２７】
2015200136.tif 000029
【図２８】
2015200136.tif 000030
【図２９】
2015200136.tif 000031
【図３０】
2015200136.tif 000032
【図３１】
2015200136.tif 000033